(57)【要約】【課題】リニアガイド装置用サイドシールの案内レールに対する押し付け力を適切な大きさに調整できるようにする。【解決手段】サイドシール４の外側に押し付けプレート５を配置する。サイドシール４のシールリップ４２にスリット４２ｅ，４２ｆを形成する。押し付けプレート５は、シールリップ４２の基端部４２ａを覆い先端部４２ｂを露出させるカバー部５２を有する。カバー部５２の内側形状を、シールリップ４２の基端部４２ａの外形と相似で寸法が小さい形状とする。サイドシール４の板状部４１と押し付けプレート５の板状部５１との隙間Ｌを制御することで、案内レール１に対するシールリップ４２の先端部４２ｂの押し付け量を調整する。【選択図】図９
2011241967.tif 000002
【特許請求の範囲】
【請求項１】
案内レールと、スライダと、複数個の転動体と、を備え、前記案内レールおよびスライダは、互いに対向配置されて転動体の転動通路を形成する転動面を有し、前記転動通路を転動体が転動することにより、案内レールおよびスライダの一方が他方に対して相対的に直線運動するリニアガイド装置を構成する前記スライダの運動方向両端に、ねじ部材で固定されるサイドシールユニットであって、
サイドシールと、押し付けプレートと、からなり、
サイドシールは、案内レールの上側に配置される上部分と案内レールの両側部に配置される一対の側部分を有する板状部と、ゴムまたは熱可塑性エラストマー製で前記板状部の一方の面から突出し、案内レールの上面および両側面に先端部を接触させるシールリップと、を有し、前記シールリップには、先端部から基端部まで連続するスリットが複数形成され、
押し付けプレートは、サイドシールの板状部に対応する板状部と、サイドシールのシールリップの基端部を覆い先端部を露出させるカバー部を有し、このカバー部の内側形状を前記シールリップの基端部の外形と相似で寸法が小さい形状とし、
前記サイドシールの板状部および押し付けプレートの板状部に、前記ねじ部材を貫通させる貫通穴が形成されていることを特徴とするリニアガイド装置用サイドシールユニット。
【発明の詳細な説明】
【技術分野】
【０００１】
この発明は、リニアガイド装置を構成するスライダの運動方向両端に固定されるサイドシールに関する。
【背景技術】
【０００２】
リニアガイド装置は、案内レールおよびスライダに設けた両転動面で構成される転動通路を、転動体が負荷状態で転動することで、スライダが案内レールに沿って相対的に直線運動する（直動する）装置である。
リニアガイド装置の従来例を図１０に示す。このリニアガイド装置は、案内レール１とスライダ（「ベアリング」とも称される）２と複数個のボール（転動体）３とを備えている。案内レール１およびスライダ２は、互いに対向配置されて転動体３の転動通路を形成する転動溝１１，２１を有する。
【０００３】
スライダ２は、直動方向（案内レール１の長さ方向）で、スライダ本体２０１と、その両端に固定されたエンドキャップ２０２と、さらにその両端に固定されたサイドシール２０３とに分けられる。転動溝２１はスライダ本体２０１に形成されている。
スライダ２は、また、転動体３の戻し通路２２と、この戻し通路２２と前記転動通路とを連通させる方向転換路を有する。戻し通路２２はスライダ本体２０１に、方向転換路はエンドキャップ２０２に形成されている。スライダ２の上面には、テーブル等をねじ止めで取り付けるための雌ねじ２３が形成されている。
【０００４】
スライダ２のエンドキャップ２０２の側部に、グリースニップルの取り付け穴２４が形成されている。この取り付け穴２４にグリースニップルを取り付けることで、潤滑剤がグリースニップルからエンドキャップの油路に導入されて、リニアガイド装置の潤滑が行われる。案内レール１には、基台等の被取付部に案内レール１をボルトで取り付けるための取り付け穴１３が形成されている。
このリニアガイド装置は、前記転動通路、戻し通路、および方向転換路で転動体の循環経路が構成され、この循環経路内をボール３が循環することにより、案内レール１およびスライダ２の一方が他方に対して相対的に直線運動する。
【０００５】
このようなリニアガイド装置では、サイドシール２０３のシールリップ２０３ａを案内レール１に接触させて、スライダ２の直動方向両端から内部に異物が侵入することを防止している。従来のシールリップ２０３ａは、ゴムまたは熱可塑性エラストマー製で、案内レール１の上面に配置される部分（上部分）と両側面に配置される部分（側部分）を含めて一体形になっている。
【０００６】
そのため、シールリップ２０３ａの上部分と両側部分のいずれかの部分で案内レール１に対する押し付け量が大きいと、他の部分で案内レール１との間に隙間が生じることがある。また、シールリップ２０３ａの上部分を案内レール１に押し付けすぎると、取り付け穴１３に当たってスライダ２のスムーズな移動の妨げとなり、シールリップ２０３ａが損傷する恐れがあるため、シールリップ２０３ａの押し付け力を適切な大きさに調整できるようにすることが求められている。
【０００７】
下記の特許文献１には、弾性部材と補強板とボルトで構成された防塵部材が記載されている。スライダの運動方向両端に弾性部材と補強板を配置し、補強板から挿入した固定ボルトの先端をスライダに螺合して、弾性部材を案内レールに押し付けることにより、弾性部材と案内レールを密着させている。
この防塵部材では、固定ボルトを締めつけることで、弾性部材が案内レールの長さ方向で縮み、長さ方向に垂直な方向で伸びるため、弾性部材が案内レールに押し付けられる。そして、補強板の周縁部に所定寸法の側板を設けて弾性部材の変形量を設定するか、固定ボルトの締めつけ量を変えることで、弾性部材の押し付け力を調整している。
【先行技術文献】
【特許文献】
【０００８】
【特許文献１】特開平１１−２９４４５３号公報
【発明の概要】
【発明が解決しようとする課題】
【０００９】
この発明の課題は、特許文献１とは異なる構造の部材を用いて、リニアガイド装置用サイドシールの案内レールに対する押し付け力を適切な大きさに調整できるようにすることである。
【課題を解決するための手段】
【００１０】
上記課題を解決するために、この発明のリニアガイド装置用サイドシールユニットは、案内レールと、スライダと、複数個の転動体と、を備え、前記案内レールおよびスライダは、互いに対向配置されて転動体の転動通路を形成する転動面を有し、前記転動通路を転動体が転動することにより、案内レールおよびスライダの一方が他方に対して相対的に直線運動するリニアガイド装置を構成する前記スライダの運動方向両端に、ねじ部材で固定されるサイドシールユニットであって、サイドシールと、押し付けプレートと、からなり、サイドシールは、案内レールの上側に配置される上部分と案内レールの両側部に配置される一対の側部分を有する板状部と、ゴムまたは熱可塑性エラストマー製で前記板状部の一方の面から突出し、案内レールの上面および両側面に先端部を接触させるシールリップと、を有し、前記シールリップには、先端部から基端部まで連続するスリットが複数形成され、押し付けプレートは、サイドシールの板状部に対応する板状部と、サイドシールのシールリップの基端部を覆い先端部を露出させるカバー部を有し、このカバー部の内側形状を前記シールリップの基端部の外形と相似で寸法が小さい形状とし、前記サイドシールの板状部および押し付けプレートの板状部に、前記ねじ部材を貫通させる貫通穴が形成されていることを特徴とする。
【００１１】
この発明のリニアガイド装置用サイドシールユニットは、スライダの運動方向両端に、シールリップを外側に向けてサイドシールを配置し、その外側に押し付けプレートを配置して、シールリップの基端部をカバー部で覆い、押し付けプレートの板状部の貫通穴からねじ部材を挿入し、このねじ部材をさらにサイドシールの板状部の貫通穴を通し、その先端をスライダに螺合させることで固定される。その際に、シールリップの基端部は弾性変形した状態でカバー部内に配置され、隣り合うスリットの間の部分が案内レール側に押し出されるため、シールリップの先端部が案内レールの上面および両側面に押し付けられる。この押し付け量は、サイドシールの板状部と押し付けプレートの板状部との隙間に応じた量となる。
【００１２】
よって、この発明のリニアガイド装置用サイドシールユニットによれば、サイドシールの板状部と押し付けプレートの板状部との隙間を制御することで、案内レールの上面および両側面に対する、シールリップの先端部の押し付け量を制御することができる。したがって、シールリップの押し付け力を適切な大きさに調整することができる。
この発明のリニアガイド装置用サイドシールユニットを用いれば、サイドシールの板状部と押し付けプレートの板状部との隙間に、この隙間を予め設定された押し付け力に対応する寸法に保持できる部材（ねじ部材を通す座金など）を配置することにより、前記隙間を安定的に制御することができる。したがって、この発明のリニアガイド装置用サイドシールユニットを用いれば、シールリップの案内レールに対する押し付け力を、簡単に適切な大きさに調整することができる。
【発明の効果】
【００１３】
この発明のリニアガイド装置用サイドシールユニットによれば、サイドシールの板状部と押し付けプレートの板状部との隙間を制御することで、シールリップの案内レールに対する押し付け力を適切な大きさに調整することができる。
【図面の簡単な説明】
【００１４】
【図１】この発明の一実施形態に相当するサイドシールユニットが取り付けられたリニアガイド装置を示す正面図である。
【図２】図１のリニアガイド装置の部分側面図である。
【図３】この実施形態のサイドシールを示す正面図である。
【図４】図３のＡ矢視図である。
【図５】この実施形態の押し付けプレートを示す正面図である。
【図６】図５のＡ矢視図である。
【図７】図５の押し付けプレートを図３のサイドシールに被せた状態を示す正面図である。
【図８】図７のＡ矢視図である。
【図９】この実施形態のサイドシールユニット（サイドシールと押し付けプレート）の取り付け方法を説明する図である。
【図１０】リニアガイド装置の従来例を示す斜視図であって、スライダの一部を破断して内部を示している。
【発明を実施するための形態】
【００１５】
以下、この発明の実施形態について説明する。
この実施形態のサイドシールユニットは、サイドシール４と押し付けプレート５とからなり、図１および２に示すように、ねじ６，７により、リニアガイド装置を構成するスライダ２の両端に固定して使用される。図２に示すように、リニアガイド装置のスライダ２は、スライダ本体２０１の両端にエンドキャップ２０２が固定されている。エンドキャップ２０２にはグリースニップルの取り付け穴２４が形成されている。
この例では、図２に示すように、サイドシール４は、ねじ６によりエンドキャップ２０２を介してスライダ本体２０１に固定されている。押し付けプレート５は、ねじ７によりエンドキャップ２０２に固定されているが、エンドキャップ２０２を介してスライダ本体２０１に固定されていてもよい。
【００１６】
サイドシール４は、図３および４に示すように、ゴム製の板状部４１およびシールリップ４２と、板状部４１と同形状の金属板４３とからなる。金属板４３はサイドシール４の芯金であり、金型を用い金属板４３の一方の面にゴムを溶着することで、板状部４１とシールリップ４２が形成されている。板状部４１と金属板４３は、エンドキャップ２０２の正面形状と同じコの字状に形成されている。板状部４１と金属板４３は、案内レール１の上側に配置される上部分４１Ａ，４３Ａと案内レール１の両側部に配置される一対の側部分４１Ｂ，４３Ｂを有する。
【００１７】
板状部４１には、上部分４１Ａと側部分４１Ｂの境界の位置に、ねじ６の頭部を配置する貫通穴４１ａが形成されている。金属板４３には、板状部４１の貫通穴４１ａと同じ位置に、ねじ６の軸部を配置する貫通穴４３ａが形成されている。板状部４１と金属板４３には、それぞれ貫通穴４１ａ，４３ａを挟んだ上下に、ねじ７の軸部を通す貫通穴４１ｂ，４３ｂが形成されている。
【００１８】
シールリップ４２は、板状部４１のコの字状の開口に沿って形成され、板状部４１の上に帯状に配置されている基部４２ａと、板状部４１の外側にはみ出している先端部４２ｂとからなる。シールリップ４２の先端部４２ｂは、案内レール１の角部と側面の転動溝１１に嵌まる形状の突出部４２ｃ，４２ｄを有する。突出部４２ｃの両側に、先端部４２ｂから基端部４２ｂまで連続するスリット４２ｅ，４２ｆが形成されている。
【００１９】
スリット４２ｅ，４２ｆは、図３に示すように、シールリップ４２の最表面から板状部４１の面まで至る切り込みであり、基端部４２ａから先端部４２ｂに向けて切り込み幅が大きくなっている。スリット４２ｅ，４２ｆは、また、図４に示すように、シールリップ４２の厚さ方向で、板状部４１の面に向けて斜め上方に向かうように延びている。
押し付けプレート５は、図５および６に示すように、サイドシール４の板状部４１と同じ形状の板状部５１と、サイドシール４のシールリップ４２の基端部４２ａを覆い先端部４２ｂを露出させるカバー部５２とからなる。
【００２０】
押し付けプレート５の板状部５１は、案内レール１の上側に配置される上部分５１Ａと案内レール１の両側部に配置される一対の側部分５１Ｂを有する。押し付けプレート５の板状部５１には、サイドシール４の板状部４１の貫通穴４１ｂと同じ位置に同じ貫通穴５１ｂが形成されている。
押し付けプレート５のカバー部５２の内側形状は、シールリップ基端部４２ａの外形と相似で寸法が小さい形状となっている。具体的には、図７に示すように、押し付けプレート５のカバー部５２が板状部５１から立ち上がるラインが、サイドシール４の板状部４１とシールリップ基端部４２ａとの境界ラインより、少し内側（案内レール１に近づく側）になっている。カバー部５２の板状部５１からの突出高さが、基端部４２ａの厚さより少し小さくなっている。カバー部５２が覆う範囲は、シールリップ４２の基端部４２ａ全体と先端部４２ｂの一部である。
【００２１】
図８は、図７をＡ方向から見た図であって、ねじ７を貫通穴５１ｂ，４１ｂ，４３ｂに通して、その先のエンドキャップ２０２に螺合することで（図２を参照）、サイドシール４の板状部４１とシールリップ４２が弾性変形した状態を示している。
この実施形態のサイドシールユニットは、以下のようにしてリニアガイド装置のスライダの運動方向両端に固定する。
【００２２】
先ず、スライダ２のエンドキャップ２０２の外側に、シールリップ４２を外側に向けてサイドシール４を配置し、金属板４３の貫通穴４３ａにねじ６の軸部を通して、その先端をエンドキャップ２０２を介してスライダ本体２０１の雌ねじに螺合し、板状部４１の貫通穴４１ａにねじ６の頭部を配置する。これにより、サイドシール４がエンドキャップ２０２に固定される。
【００２３】
次に、サイドシール４の外側に押し付けプレート５を配置して、シールリップ基端部４２ａにカバー部５２を被せる。図９（ａ）は、この状態を示している。この状態から、押し付けプレート５をサイドシール４に押し付けると、シールリップ基端部４２ａが弾性変形状態でカバー部５２内に配置される。
次に、押し付けプレート５の板状部５１の貫通穴５１ｂからねじ７の軸部を挿入し、この軸部をさらに、サイドシール４の板状部４１の貫通穴４１ｂおよび金属板４３の貫通穴４３ａに通して、その先端をエンドキャップ２０２の雌ねじに螺合する。これにより、押し付けプレート５が、サイドシール４を介してエンドキャップ２０２に固定される。図９（ｂ）は、この状態を示している。
【００２４】
この状態で、シールリップ４２の基端部４２ａは弾性変形した状態でカバー部５内に配置され、隣り合うスリット４２ｅ，４２ｆの間の部分４２ｃが案内レール１側に押し出される。これに伴って、シールリップ４２の先端部４２ｂが案内レール１の上面および両側面に押し付けられる。この押し付け量は、サイドシール４の板状部４１と押し付けプレート５の板状部５１との隙間Ｌに応じた量となる。
【００２５】
よって、この実施形態のサイドシールユニットによれば、サイドシール４の板状部４１と押し付けプレート５の板状部５１との隙間Ｌを制御することで、案内レール１の上面および両側面に対する、シールリップ４２の先端部４２ｂの押し付け量を制御することができる。したがって、シールリップ４２の押し付け力を適切な大きさに調整することができる。
また、サイドシール４の板状部４１と押し付けプレート５の板状部５１との間に、隙間Ｌを予め設定された押し付け力に対応する寸法に保持できる部材を配置することで、シールリップの案内レールに対する押し付け力を、簡単に適切な大きさに調整することができる。
【符号の説明】
【００２６】
１  案内レール
１１  案内レールの転動溝
２  スライダ
２１  スライダの転動溝
２２  戻し通路
２０１  スライダ本体
２０２  エンドキャップ
２０３  サイドシール
３  ボール（転動体）
４  サイドシール
４１  板状部
４１Ａ  板状部の上部分
４１Ｂ，４１Ｃ  板状部の側部分
４１ａ  貫通穴
４１ｂ  貫通穴
４２  シールリップ
４２ａ  シールリップの基端部
４２ｂ  シールリップの先端部
４２ｃ，４２ｄ  突出部
４２ｅ，４２ｆ  スリット
４３  金属板
４３Ａ  金属板の上部分
４３Ｂ，４３Ｃ  金属板の側部分
４３ａ  貫通穴
４３ｂ  貫通穴
５  押し付けプレート
５１  板状部
５１Ａ  板状部の上部分
５１Ｂ，５１Ｃ  板状部の側部分
５１ｂ  貫通穴
５２  カバー部
６  ねじ
７  ねじ
【図１】
2011241967.tif 000003
【図２】
2011241967.tif 000004
【図３】
2011241967.tif 000005
【図４】
2011241967.tif 000006
【図５】
2011241967.tif 000007
【図６】
2011241967.tif 000008
【図７】
2011241967.tif 000009
【図８】
2011241967.tif 000010
【図９】
2011241967.tif 000011
【図１０】
2011241967.tif 000012